(57)【要約】【課題】従来、木工用及び石工用切断機において、切断部位を照らす照明装置を備えたものが提供されていたが、発生する切断粉が高温の金属粉である金工用切断機では、切断粉飛散防止用の透明カバーに切断粉が付着し、また切断粉が吹き当てられて傷つくことにより視認性が悪くなり、結果的に切断部位を照明装置で照らすことができないため、現実には照明装置を備えた金工用切断機は提供されていなかった。本発明では、照明装置により切断部位を明るく照らすことができる金工用切断機を提供する。【解決手段】切断部位Ｘを目視するための窓部４０に樹脂製の透明カバー４１を脱着可能に取り付ける構成とすることにより、窓部４０の密閉性を確保しつつ交換によりその視認性を常時確保することで照明装置の機能を発揮させることができる。【選択図】図１
2008018498.tif 000002
【特許請求の範囲】
【請求項１】
切断材に載置するベースと、該ベースの上面に支持した切断機本体を備え、該切断機本体は駆動モータにより回転する円形の切断刃を備え、該切断刃が前記ベースの下面側に突き出され、該突き出し部分で前記切断材が切断される一方、前記切断刃の前記ベースの上面側の範囲がブレードケースで覆われ、該ブレードケースの、前記切断刃が前記切断材に切り込まれる切断部位の側方に当該切断部位を目視するための窓部が設けられ、前記ブレードケースの背面側に該窓部を経て前記切断部位を照らす照明装置を備えた切断機であって、
前記窓部は、前記切断部位を透視可能な透明カバーで閉塞され、かつ該透明カバーを前記窓部から取り外し可能な構成とした切断機。
【請求項２】
請求項１記載の切断機であって、前記窓部は、前記切断部位と前記照明装置との間に位置して前記照明装置への切断粉の飛散を防止するための遮蔽板として機能する構成とした切断機。
【請求項３】
請求項１記載の切断機であって、ブレードケースの背面側に、当該ブレードケースとは別体で設けられ、前記モータの出力を減速するためのギヤ列を収容したギヤハウジングが接合され、該接合部に前記照明装置が組み込まれた切断機。
【発明の詳細な説明】
【技術分野】
【０００１】
この発明は、主として携帯用の丸鋸盤であって、切断部位を明るく照らすための照明装置を備えた切断機に関する。
【背景技術】
【０００２】
従来より、この種の切断機を暗い場所で用いる場合に切断部位の視認性を高めるために照明装置を備えたものが提供されている。例えば特開２００１−３００８１８号公報に開示された照明装置は、主として木工用の切断機に好適なもので、円形の切断刃の上部を覆うブレードケースの切断部付近にのぞき窓が設けられ、かつブレードケースの内面側に設けたホルダ部に照明具を取り付け、この照明具で切断部位を明るく照らすことができるようになっている。この技術によれば、照明具で切断部位を明るく照らしながらのぞき窓から当該切断部位を楽に目視することができるので、暗い場所での切断作業を楽に行うことができるようになっている。
また、特開２００３−４８１１８号公報に開示された照明装置は、主として石工用の切断機であって切断部の周辺を透明のブレードケースでほぼ完全に覆って切断部位の防塵性と視認性を確保した防塵丸鋸盤に好適な照明装置で、ブレードケースの前部に着脱可能に取り付けたカセット式のホルダに二つの照明具を取り付け、一方の照明具で切断部位を前側から明るく照らし、他方の照明具ですみ線ガイド部を明るく照らす構成となっている。
これら木工用切断機の照明具及び石工用切断機の照明具に透明のカバーで覆われて、発生する切断粉の付着が防止されるようになっている。
【特許文献１】特開２００１−３００８１８号公報
【特許文献２】特開２００３−４８１１８号公報
【発明の開示】
【発明が解決しようとする課題】
【０００３】
このように、従来木工用及び石工用の切断機では照明装置を備えたものが提供されていたが、鋼材の切断作業等に用いられる金工用の切断機に好適な照明装置が提供されておらず、従って金工用の切断機を用いる場合には依然として暗い場所での作業がしづらい問題があった。
金工用の切断機は、切断部位から高熱の金属片（切断粉）が排出されることから、これらが透明カバーに付着して当該カバーの透明度が低下し、あるいは金属片が吹き当てられることにより傷つき、また変形して密閉性が低下するという他の切断機にはない金工用切断機に特有の問題があるため、上記従来の木工用若しくは石工用の照明装置をそのまま適用することができなかった。
本発明は、主として金工用の切断機において照明装置の機能を十分に発揮させることができ、これにより金工作業についても暗い場所での作業性を高めることができるようにすることを目的とする。
【課題を解決するための手段】
【０００４】
このため、本発明は、特許請求の範囲の各請求項に記載した切断機とした。
請求項１記載の切断機によれば、ブレードケースの切断進行方向前端部であって切断部位の側方となる部位に、当該切断機の使用者が切断部位を目視するための窓部が設けられている。この窓部の透明カバーは、ブレードケースから取り外し可能であるので、高温の金属粉等が付着することによりその透明度が低下し、あるいは金属粉等が吹き当てられることにより傷ついたり変形した場合には簡単に交換することができる。
このことから、この窓部を経て切断部位を明るく照らす照明装置の機能をそのまま維持することができることから、金工用切断機に木工用切断機若しくは石工用切断機の照明装置を適用することができ、これにより暗い場所での金工作業を効率よく行うことができるようになる。
請求項２記載の切断機によれば、窓部を構成する透明カバーによって照明装置への金属粉の飛散を防止し、これにより当該照明装置の傷つき等の損傷を防止することができるので、照明装置の耐久性を高めることができる。
請求項３記載の切断機によれば、ブレードケースとギヤハウジングとの接合部付近の空きスペースを有効に活用して、照明装置をブレードケース内に出っ張ることなく配置することができる。
【発明を実施するための最良の形態】
【０００５】
次に、本発明の実施形態を図１〜図９に基づいて説明する。図１は本実施形態に係る切断機１を示している。本実施形態では、例えば鋼材等を切断するための主として金工用の切断機を例示する。図１において切断機１を右側へ移動させることにより切断材（鋼材）Ｗが切断されていく。従って、図１において右側が切断進行方向前側となる。以下、切断進行方向前側を、単に前側、これとは逆方向を後側という。
この切断機１は、切断材Ｗの上面に重ね合わせるベース２と、このベース２の上面側に支持された切断機本体１０を備えている。切断機本体１０は、支軸１１を介して上下に傾動可能な状態でベース２上に支持されている。ベース２に対して切断機本体１０を上下に傾動させることにより、いわゆる切り込み深さの調整を行うことができる。
切断機本体１０は、電動の駆動モータ１２により回転する円形の切断刃１３を備えている。切断刃１３はスピンドル１４に取り付けられている。切断刃１３の下側の範囲はベース２の下面から突き出されている。この突き出し部分は、開閉式のセーフティカバー１５で覆われている。
図１において切断刃１３は反時計回り方向に回転する。従って、ベース２の下面と切断刃１３の周縁部との前後２カ所の交差部のうち、前側の交差部が切断材Ｗに切り込まれる切断部位Ｘとなっている。
【０００６】
切断刃１３の上側ほぼ半分の範囲の周縁は、ブレードケース２０内に収容されている。ブレードケース２０の切断刃１３の周縁部を収容する部分は断面Ｕ字形を有している。本実施形態において、このブレードケース２０は蓋開閉構造を有しており、図２中Ｊ０で示す接合部で蓋としての正面部２０Ｓと開閉される側としての背面部２０Ｈに二分割可能な構成となっている。図１では、蓋としての正面部２０Ｓを取り外して背面部２０Ｈの内面が直接見えた開放状態が示されている。この開放状態では、切断刃１３の交換を容易に行うことができる。一方、図２は、正面部２０Ｓを取り付けて背面部２０Ｈを閉じた状態（通常の使用状態）を示している。
正面部２０Ｓは、その周囲複数箇所に設けた爪部２０ｄ〜２０ｄを背面部２０Ｈの周囲に係合させて、当該背面部２０Ｈを塞ぐ状態に取り付けられる。また、正面部２０Ｓの上部には、ストッパレバー２０ｅが設けられている。このストッパレバー２０ｅを図２において左側にスライド操作すると、背面部２０Ｈに対する当該ストッパレバー２０ｅの係合が解除されて、正面部２０Ｓを背面部２０Ｈから取り外すことができる。
ブレードケース２０の背面部２０Ｈの前部には、支持アーム部２０ｆが前方へ突き出す状態に一体に設けられている。この支持アーム部２０ｆが前記支軸１１を介してベース２の上面に設けた支持部２ａに対して上下に傾動可能に支持されている。
ブレードケース２０の背面部２０Ｈの内面には、セーフティカバー１５の閉じ側の回動端位置を規制するためのストッパ２２が取り付けられている。このストッパ２２は、ゴム製のリング形状を有するもので、固定ねじ２３で固定されている。
ブレードケース２０の背面部２０Ｈには、駆動モータ１２の回転出力を減速するためのギヤ列を収容した概ね円筒形状のギヤハウジング２１が組み付けられている。このギヤハウジング２１に駆動モータ１２が取り付けられている。
ギヤハウジング２１の上部には、使用者が把持するためのハンドル部１６が設けられている。このハンドル部１６はＤ型のループ形状を有するもので、その後側下部には当該切断機の電源としてバッテリパック１７が装着されている。このバッテリパック１７により供給される電力で駆動モータ１２が起動する。
ハンドル部１６の内周側にスイッチレバー１６ａが配置されている。図１において当該切断機１の左側に位置する使用者がハンドル部１６を把持し、把持した手の指先でスイッチレバー１６ａを起動位置まで引き操作（オン操作）することにより駆動モータ１２が起動する。スイッチレバー１６ａの引き操作を止めると、当該スイッチレバー１６ａはオフ位置に戻されて駆動モータ１２が停止する。
【０００７】
切断機本体１０は、切断部位Ｘを明るく照らすための照明装置３０を備えている。この照明装置３０は、ブレードケース２０の背面部２０Ｈに設けられている。ブレードケース２０の背面部２０Ｈの内面には、その内面側周辺部２０ｃよりも一段低い凹部２０ａが設けられている。この凹部２０ａの底部には当該底部補強用のリブ２０ｂ〜２０ｂが設けられている。照明装置３０は、この凹部２０ａ内の空きスペースを利用して取り付けられている。この照明装置３０は、照明具３１を備えている。この照明具３１は、凹部２０ａの側壁部に貫通して設けたホルダ部３２に取り付けられている。この照明具３１は当該側壁部を貫通して切断部位Ｘに向けられている。ホルダ部３２の前端部は防塵用の透明カバー（防塵カバー）で遮蔽されている。この照明具３１は、カバー板３３によりブレードケース２０の内部から遮蔽されている。このカバー板３３は、ブレードケース２０の内面側周辺部２０ｃとほぼ面一に取り付けられている。このため、当該照明装置３０はブレードケース２０内に出っ張らない状態に設けられている。照明具３１の配線３１ａは、当該凹部２０ａ内からギヤハウジング２１側に取り回され、最終的にハンドル部１６のスイッチレバー１６ａに電気的に接続されている。スイッチレバー１６ａを照明具点灯位置まで引き操作すると、当該照明具３１が点灯する。スイッチレバー１６ａの引き操作を止めると、当該スイッチレバー１６ａがオフ位置に戻されて照明具３１が消灯する。
【０００８】
ブレードケース２０の背面部２０Ｈの前端部には、使用者が切断部位Ｘを目視するための窓部４０が設けられている。この窓部４０は、樹脂製の透明カバー４１で閉塞されている。この透明カバー４１によって切断粉が窓部４０を経てブレードケース２０の外部に飛散することが防止される。
この透明カバー４１は、１本の固定ねじ４２によりブレードケース２０の背面部２０Ｈに固定されている。この透明カバー４１は、固定ねじ４２を緩めて外すことにより、ブレードケース２０の背面部２０Ｈから取り外すことができる。この透明カバー４１によってブレードケース２０の内部と照明装置３０との間が遮蔽されて、切断部位Ｘで発生した切断粉（金工作業では高温かつ微細な金属粉）が照明装置３０の防塵カバーに吹き付けられないようになっている。
また、この透明カバー４１は、上記カバー板３３と面一に取り付けられる。従って、この透明カバー４１及びカバー板３３は共にブレードケース２０の内面側周辺部２０ｃとほぼ面一に取り付けられており、これにより当該ブレードケース２０内における切断粉を含む風の流れが阻害されないようになっている。
切断材Ｗとして鋼材の切断作業（金工作業）を行う場合には、高温かつ微細な切断粉（金属粉）が切断部位Ｘから上方へ吹き上げられる。切断部位Ｘから吹き上げられた切断粉は、木工作業や石工作業に比してより透明カバー４１に付着しやすく、また吹き当てられて当該透明カバー４１を傷つけやすい。切断粉が透明カバー４１に付着し、当該透明カバー４１が傷つけられるとその視認性が低下し、あるいは当該透明カバー４１が切断粉の熱で一部溶融する等してその透明度が低下する。このような原因で、透明カバー４１の透明度が低下すると、照明装置３０の明かりが遮られて切断部位Ｘを明るく照らすことができなくなる。従って、この場合には固定ねじ４２を緩めて外すことにより当該透明カバー４１を新しいものに交換することができる。
【０００９】
以上のように構成した本実施形態の切断機１によれば、ブレードケース２０の背面部２０Ｈの前端部に窓部４０が設けられている。当該切断機１の使用者はこの窓部４０を経て切断部位Ｘを直接目視することができる。また、ブレードケース２０の背面部２０Ｈには照明装置３０が設けられており、この照明装置３０の照明具３１により切断部位Ｘが明るく照らされる。照明具３１の明かりは、窓部４０を経て切断部位Ｘに照射される。
窓部４０には、樹脂製の透明カバー４１が取り付けられている。この透明カバー４１によって照明装置３０は切断部位Ｘから遮蔽されている。このため、切断部位Ｘで発生した切断粉が照明装置３０の防塵カバーに吹き付けられないようになっている。
当該切断機１を用いて鋼材の切断作業を行う場合に、切断部位Ｘから発生した高温かつ微細な切断粉が透明カバー４１に付着等して当該透明カバー４１が損傷を受け、その結果切断部位Ｘの視認性が低下した場合には、ブレードケース２０の正面部２０Ｓを取り外した後、固定ねじ４２を緩めて外せば当該透明カバー４１を別のものに簡単に交換することができる。
このように窓部４０を塞ぐ透明カバー４１を交換することができるので、照明装置３０による切断部位Ｘの視認性を常時良好な状態に維持することができる。このことから、主として鋼材の切断に用いる金工用の切断機１に照明装置３０を設けて当該照明装置３０の機能を有効に活用することができる。
【００１０】
以上説明した第１実施形態には種々変更を加えることができる。例えば、第１実施形態では、ブレードケース２０の背面部２０Ｈ側にのみ切断部位Ｘを目視するための窓部４０を設ける構成を例示したが、例えば図４〜図６に示すようにブレードケース５２を一体形としてその前端部を欠落させてその正面側５２Ｓから背面側５２Ｈに跨る窓部５０を設ける構成（第２実施形態）としてもよい。その他、第１実施形態と同様の部材及び構成については適宜同位の符号を用いてその説明を省略する。この第２実施形態の場合、ブレードケース５２は、第１実施形態とは異なって正面部と背面部とに二分割できない一体構成となっている。以下、この一体形のブレードケース５２において、切断刃１３を中心としてその板厚方向の正面側を正面側５２Ｓ、背面側を背面側５２Ｈという。
使用者は上記窓部５０を経てブレードケース５２の正面側５２Ｓ及び背面側５２Ｈの双方及び前面側から切断部位Ｘを目視することができる。この窓部５０には、樹脂製の断面Ｕ字形をなす透明カバー５１が取り付けられている。この透明カバー５１は、ブレードケース５２の前端部から上記欠落部を補う状態に取り付けられている。この第２実施形態に係る透明カバー５１は、その上部に設けた取り付け部５１ａと、ブレードケース５２の前端部に設けた取り付け部５２ａとに固定ねじ５３と締め込んでブレードケース５２の前端に結合されている。また、この透明カバー５１の下部側は、セーフティカバー１５のストッパ２２を固定する固定ねじ２３により固定されている。
従って、透明カバー５１は、固定ねじ２３，５３を緩めて外すことにより第１実施形態と同様ブレードケース５２から取り外すことができ、逆に当該透明カバー５１を別のものに交換して固定ねじ２３，５３を締め込むことによりブレードケース５２の前端部に簡単に取り付けることができる。
【００１１】
上記透明カバー５１を備えた第２実施形態に係る切断機５５は、ブレードケース５２の背面側５２Ｈに、当該ブレードケース５２とは別体で製作されたギヤハウジング５６が取り付けられている。このギヤハウジング５６の上面から後面側に跨ってループ形のハンドル部５８が設けられている。このハンドル部５８の内側にスイッチレバー５８ａが配置され、後部にバッテリパック５９が装着されている。また、このハンドル部５８の前部にはサブハンドル５８ｂが設けられている。使用者は、右手でハンドル部５８を把持し、左手でこのサブハンドル５８ｂを把持して、両手で当該切断機５５の移動操作をすることができるようになっている。本実施形態では、ギヤハウジング５６及びハンドル部５８が接合部Ｊ２で接合された二つ割り構造を有している。
図５及び図７において、ブレードケース５２の背面側５２Ｈとギヤハウジング５６との接合部（接合面）に符号Ｊ１が付されている。図７に示すようにブレードケース５２とギヤハウジング５６との接合部Ｊ１に照明装置６０が組み込まれている。図７及び図９に示すようにブレードケース５２の背面側Ｈには、ホルダ部６２が設けられている。このホルダ部６２に照明装置６０の照明具６１が取り付けられている。照明具６１の配線６１ａは、ギヤハウジング５６内を経てハンドル部５８内に取り回されている。第１実施形態と同様スイッチレバー５８ａの操作により照明装置６０が点灯、消灯される。
一方、図８に示すようにギヤハウジング５６の接合部Ｊ側には、上記ホルダ部６２を位置決めするためのホルダ収容部５７が設けられている。ギヤハウジング５６の接合部Ｊ１にブレードケース５２を組み付けると、ホルダ部６２がホルダ収容部５７に位置決めされ、これにより当該照明具６１がブレードケース５２とギヤハウジング５６との接合部Ｊ１においてがたつきなく位置決めされた状態に組み込まれる。接合部Ｊ１に組み込まれた照明具６１は切断部位Ｘに指向された状態となる。
【００１２】
以上のように構成した第２実施形態の切断機５５によれば、ブレードケース５２の切断進行方向前端部には断面Ｕ字形の透明カバー５１で遮蔽された窓部５０が設けられており、この窓部５０を経て切断部位Ｘをブレードケース５２の正面側５２Ｓ及び背面側５２Ｈの双方から目視することができる。また、ブレードケース５２の背面側Ｈには照明具６１が組み込まれており、この照明具６１の明かりは透明カバー５１を経て切断部位Ｘに照射される。このため、暗い場所での切断作業にあたって切断部位Ｘを照明具６１で明るく照らすことにより切断作業を効率よく行うことができる。
当該切断機５５を用いて鋼材（切断材Ｗ）の切断作業を行う場合に、高温の切断粉（鉄粉）が切断部位Ｘから吹き上げられて透明カバー５１に付着し、また傷つきその結果透明カバー５１の透明度が低下し、あるいは当該透明カバー５１の一部が溶融、変形することにより切断部位Ｘの視認性及び密閉性が低下した場合には、当該カバー５１を簡単に交換することができるので、切断部位Ｘの視認性を引き続き確保することができるとともに、照明具６１により切断部位Ｘを明るく照らした状態を維持することができる。このように、簡単に交換可能な透明カバー５１で窓部５０を遮蔽する構成であるので、金工用の切断機５５についても照明装置を適用することができ、これにより暗い場所での鋼材等の切断作業（金工作業）を効率よく行うことができるようになる。
また、第２実施形態の切断機５５によれば、ブレードケース５２とギヤハウジング５６が別体で製作され、接合部Ｊ１で接合される構成であり、この接合部Ｊ１に照明具６１が組み込まれる構成であるので、当該切断機５５の組み立て工程において、照明具６１の組み込み作業、及びその配線６１ａの取り回し作業が楽になり、その組み付け工程の簡略化を図ることができる。
【００１３】
以上説明した第１、第２実施形態にはさらに変更を加えて実施することができる。例えば、第１実施形態において、窓部４０を塞ぐ透明カバー４１の当該窓部４０に対する固定手段として、固定ねじ２３，４２を用いる構成を例示したが、クリップや弾性爪を用いる構成としてもよい。
樹脂製の透明カバー４１，５１を例示したが、透明カバーは透明ガラスを素材とする構成としてもよい。
照明装置３０，６０の照明具３１，６１には、電球若しくは発光ダイオード（ＬＥＤ）を用いることができる。
また、切断機として金工用の切断機１，５５を例示したが、同様の構成を木工用切断機あるいは石工用切断機に適用することもできる。
バッテリ式の切断機１，５５を例示したが、交流電源仕様の切断機にも同様に適用することができる。
【図面の簡単な説明】
【００１４】
【図１】本発明の第１実施形態に係る切断機の正面図である。本図では、ブレードケースの正面側及び切断刃が取り外され、従ってブレードケースの背面側の内面が露出された状態が示されている。
【図２】第１実施形態の切断機を図１中矢印(2)方向から見た前面図である。
【図３】第１実施形態の切断機を図２中矢印(3)方向から見た背面図である。
【図４】第２実施形態の切断機の正面図である。
【図５】第２実施形態の切断機を図４中矢印(5)方向から見た前面図である。
【図６】第２実施形態の切断機を図５中矢印(6)方向から見た背面図である。
【図７】第２実施形態の切断機の前面図である。本図は、ブレードケースが接合部Ｊ１で分離された状態を示している。また、モータの後部側の図示が省略されている。
【図８】ギヤハウジングの接合部Ｊ１を図７中矢印(8)方向から見た図である。
【図９】ブレードケースの背面側を図７中矢印(9)方向から見た図である。
【符号の説明】
【００１５】
Ｘ…切断部位
Ｗ…切断材（鋼材）
１…切断機（第１実施形態）
２…ベース、２ａ…支持部
１０…切断機本体
１２…駆動モータ
１３…切断刃
１４…スピンドル
１５…セーフティカバー
１６…ハンドル部
１７…バッテリパック
２０…ブレードケース、２０Ｓ…正面部、２０Ｈ…背面部
２０ａ…凹部、２０ｃ…内面側周辺部
２０ｄ…爪部、２０ｅ…ストッパレバー、２０ｆ…支持アーム部
２１…ギヤハウジング
２２…ストッパ
２３…固定ねじ
３０…照明装置
３１…照明具、３１ａ…配線
３２…ホルダ部
３３…カバー板
４０…窓部
４１…透明カバー
４２…固定ねじ
５０…窓部
５１…透明カバー
５２…ブレードケース、５２Ｓ…正面側、５２Ｈ…背面側
５５…切断機（第２実施形態）
５６…ギヤハウジング
６０…照明装置
６１…照明具、６１ａ…配線
Ｊ０…ブレードケース２０の正面部２０Ｓと背面部２０Ｈとの接合部（第１実施形態）
Ｊ１…ブレードケース５２とギヤハウジング５６との接合部（第２実施形態）
Ｊ２…二つ割り構造のギヤハウジング５６の接合部（第２実施形態）
【図１】
2008018498.tif 000003
【図２】
2008018498.tif 000004
【図３】
2008018498.tif 000005
【図４】
2008018498.tif 000006
【図５】
2008018498.tif 000007
【図６】
2008018498.tif 000008
【図７】
2008018498.tif 000009
【図８】
2008018498.tif 000010
【図９】
2008018498.tif 000011